【手続補正書】
【提出日】平成29年4月7日(2017.4.7)
【手続補正１】
【補正対象書類名】特許請求の範囲
【補正対象項目名】全文
【補正方法】変更
【補正の内容】
【特許請求の範囲】
【請求項１】
赤血球を分析するためのグラフィカル・ユーザ・インタフェースに赤血球を表示する方法であって、
赤血球（１０８）のサンプルが描かれた画像（１０６）を受け取り（Ｓ１００）、
前記画像（１０６）中の各赤血球（１０８）について、
前記画像（１０６）中の前記赤血球（１０８）のセグメンテーション及び位置と、
赤血球の少なくとも１つの特性（１１４ａ−ｄ）に関する少なくとも１つのグループ（１１６）への前記赤血球の分類と、
を含む赤血球データを受け取り（Ｓ１０２）、
前記画像（１０６）中の前記赤血球（１０８）が分類された少なくとも１つのグループ（１１６）を指定する第１のユーザ入力を受け取り（Ｓ１０４）、
前記グラフィカル・ユーザ・インタフェースの第１のビュー（１００）を、
前記第１のユーザ入力により指定された前記少なくとも１つのグループ（１１６）に分類された全ての赤血球（１０８ａ）を前記赤血球データの中で検出し（Ｓ１０６ａ）、
前記検出した赤血球（１０８ａ）を前記画像の中で強調表示し（Ｓ１０６ｂ）、
前記第１のビュー（１００）に、赤血球が強調表示された前記画像（１０６）を表示する、ことにより生成し（Ｓ１０６）、
前記グラフィカル・ユーザ・インタフェースの第２のビュー（２００）を、前記第１のユーザ入力により指定された前記少なくとも１つのグループ（１１６）各々について、
前記グループ（１１６）に分類された全ての赤血球を前記赤血球データ内で検出し（Ｓ１０８ａ）、
前記グループに分類された前記赤血球各々のセグメンテーションに属する画像データを前記画像から抽出することによって、前記グループ（１１６）に分類された前記赤血球各々を前記画像から抽出し（Ｓ１０８ｂ）、
前記抽出された赤血球を、前記第２のビュー（２００）内の、前記グループに対応するサブビュー（２０４ａ−ｄ）に表示する（Ｓ１０８ｃ）、ことにより生成することを含む方法。
【請求項２】
前記第１のユーザ入力は、赤血球の特性（１１４ａ−ｄ）を指定することにより、前記特性（１１４ａ−ｄ）に関連付けられた全てのグループ（１１６）を指定する請求項１記載の方法。
【請求項３】
ユーザ入力部を介して、第１のユーザ入力により指定された少なくとも１つのグループの中の選択されたグループ（１１６ｂ）を指定する第２のユーザ入力を受け取り、
それに応じて、前記選択されたグループ（１１６ｂ）の赤血球のみを強調表示するよう前記第１のビュー（１００）の前記サブビュー（１０４）に表示された前記画像（１０６）を更新する、ことをさらに含む請求項１または２に記載の方法。
【請求項４】
ユーザ入力部を介して、１つ以上の選択された赤血球を指定する第３のユーザ入力を受け取り、
それに応じて、前記選択された１以上の赤血球のみを強調表示するよう前記第１のビュー（１００）の前記サブビュー（１０４）に表示された前記画像（１０６）を更新する、ことをさらに含む請求項１〜３のいずれか１つに記載の方法。
【請求項５】
前記第３のユーザ入力は、１つの選択された赤血球を指定し、
前記赤血球データの中で、前記選択された赤血球（５０８）の位置を検出し、前記選択された赤血球（５０８）を含む領域（５０８）に対応する画像データを前記画像から抽出し、前記抽出された画像データの拡大率を増加し、前記第２のビュー（２００）の第２のサブビュー（５０４）にそれを表示する、ことをさらに含む請求項４記載の方法。
【請求項６】
ユーザ入力部を介して、前記第２のビュー（２００）において赤血球を指定する第４の入力を受け取り、前記赤血球に対し、
前記赤血球データの分類を、前記第１のユーザ入力によって指定された第１のグループから前記第１のユーザ入力により指定された第２のグループに更新し、
前記抽出した赤血球を、前記第１のグループに対応する前記サブビューの代わりに、前記第２のグループに対応する前記サブビューに表示するよう前記第２のビュー（２００）を更新する、ことを含む請求項１〜５のいずれか１つに記載の方法。
【請求項７】
前記検出した赤血球を前記画像（１０６）内で強調表示するステップは、
前記第１のユーザ入力によって指定された前記少なくとも１つのグループに分類されない各赤血球（１０８ｂ）について、前記画像（１０６）の背景（１１０）に対する前記赤血球（１０８ｂ）のセグメンテーション内の部分の前記画像（１０６）のコントラストを低減することを含み、前記画像（１０６）の前記背景（１１０）は、前記画像（１０６）中の、前記赤血球（１０８）が描かれていない部分で形成される請求項１〜６のいずれか１つに記載の方法。
【請求項８】
前記赤血球（１０８ｂ）のセグメンテーション内の部分の前記画像（１０６）のコントラストを低減するステップは、
前記画像（１０６）内の前記赤血球（１０８ｂ）の前記セグメンテーション内の前記部分の強度を、前記画像（１０６）内の前記赤血球（１０８ｂ）の前記セグメンテーション内の前記部分の元の強度と前記画像（１０６）の前記背景（１１０）の強度との組み合わせに設定することを含む請求項７記載の方法。
【請求項９】
前記赤血球データは、前記画像（１０６）内の各赤血球（１０８）について、
少なくとも１つのグループ（１１６）への前記赤血球（１０８）の分類の信頼性をさらに含み、
前記前記グラフィカル・ユーザ・インタフェースの第２のビュー（２００）を生成するステップ（Ｓ１０８）は、前記第１のユーザ入力によって指定される、前記少なくとも１つのグループ（１１６）各々について、前記グループ（１１６）への前記赤血球の分類の信頼性に応じて前記抽出した赤血球をソートすることをさらに含む請求項１〜８のいずれか１つに記載の方法。
【請求項１０】
赤血球（１０８）のサンプルが描かれた画像を受け取るステップ（Ｓ１００）は、結合されると赤血球のサンプルを描く複数の画像を受け取ることを含み、
前記赤血球データは、前記画像内の各赤血球（１０８）について、前記複数の画像の中の前記赤血球（１０８）が描かれている画像の識別コードをさらに含み、
赤血球が強調表示された前記画像を表示するステップ（Ｓ１０６ｃ）は、赤血球が強調表示された前記結合された複数の画像を表示することを含む請求項１〜９のいずれか１つに記載の方法。
【請求項１１】
前記第２のビュー（２００）の、第３のグループに対応するサブビュー（２０４ｂ）において、第４のグループにも分類される前記抽出された赤血球（６０８）にグラフィカルマーキングを付け加えることをさらに含み、前記第３及び前記第４のグループは、赤血球の異なる特性（１１４ａ−ｄ）に関連づけられる請求項１〜１０のいずれか１つに記載の方法。
【請求項１２】
赤血球を分析するためのグラフィカル・ユーザ・インタフェースに赤血球を表示する装置であって、
赤血球（１０８）のサンプルが描かれた画像（１０６）と、赤血球データとを受け取るよう構成され、赤血球データが、前記画像（１０６）内の各赤血球（１０８）について、
前記画像（１０６）内の前記赤血球のセグメンテーション及び位置と、
赤血球の少なくとも１つの特性（１１４ａ−ｄ）に基づいた少なくとも１つのグループへの前記赤血球（１０８）の分類と、
を備えた受取部（３０２）と、
前記画像内の前記赤血球（１０８）が分類された少なくとも１つのグループ（１１６）を指定する第１の入力を受け取るよう構成されたユーザ入力部（３０４）と、
前記グラフィカル・ユーザ・インタフェースの第１のビュー（１００）を、
前記第１のユーザ入力によって指定された前記少なくとも１つのグループ（１１６）に分類された全ての赤血球（１０８ａ）を前記赤血球データの中で検出し、
前記検出した赤血球（１０８ａ）を前記画像（１０６）内で強調表示し、
前記第１のビュー（１００）内に、赤血球が強調表示された前記画像（１０６）を表示する、ことにより生成するよう構成された処理部（３０６）と、を備え、
前記処理部（３０６）は、前記グラフィカル・ユーザ・インタフェースの第２のビュー（２００）を、前記第１のユーザ入力によって指定された前記少なくとも１つのグループ（１１６）各々について、
前記グループ（１１６）に分類された全ての赤血球を前記赤血球データの中で検出し、
前記グループ（１１６）に分類された前記赤血球各々の前記セグメンテーションに属する画像データを前記画像から抽出することによって、前記グループ（１１６）に分類された前記赤血球各々を前記画像（１０６）から抽出し、
前記抽出した赤血球を、前記グループ（１１６）に対応する前記第２のビュー（２００）の前記サブビュー（２０４ａ−ｄ）に表示することにより生成するよう、さらに構成される装置。
【請求項１３】
赤血球の分析のためのグラフィカル・ユーザ・インタフェースであって、
赤血球のサンプルが描かれた画像（１０６）と、赤血球データとを受け取るよう構成され、赤血球データが、前記画像（１０６）内の各赤血球（１０８）について、
画像（１０６）内の前記赤血球のセグメンテーション及び位置と、
赤血球の、少なくとも１つの特性（１１４ａ−ｄ）に基づいた少なくとも１つのグループへの前記赤血球（１０８）の分類と、を備えた受取インタフェースと、
前記画像内の前記赤血球（１０８）が分類された少なくとも１つのグループ（１１６）を指定する第１の入力を受け取るよう構成されたユーザ入力インタフェースと、
第１のビューであって、
前記第１のユーザ入力によって指定された前記少なくとも１つのグループ（１１６）に分類された全ての赤血球（１０８ａ）を前記赤血球データの中で検出し、
前記検出した赤血球（１０８ａ）を前記画像（１０６）内で強調表示し、
前記第１のビュー（１００）内に、赤血球が強調表示された前記画像（１０６）を表示する、ことにより生成された第１のビュー（１００）と、
第２のビューであって、前記第１のユーザ入力によって指定された前記少なくとも１つのグループ（１１６）の各々について、
前記グループ（１１６）に分類された全ての赤血球を前記赤血球データの中で検出し、
前記グループ（１１６）に分類された前記赤血球各々の前記セグメンテーションに属する画像データを前記画像から抽出することによって、画像（１０６）から前記グループ（１１６）に分類された前記赤血球各々を抽出し、
前記抽出した赤血球を、前記グループ（１１６）に対応する前記第２のビュー（２００）の前記サブビュー（２０４ａ−ｄ）に表示する、ことにより生成される第２のビュー（２００）と、を備えたグラフィカル・ユーザ・インタフェース。
【請求項１４】
処理能力を有する装置で実行された場合、請求項１〜１１いずれか１つに記載の方法を実現するよう作られたコンピュータコード命令を含む、コンピュータ読み取り可能な媒体（３０８）。
【請求項１５】
赤血球を分析するためのグラフィカル・ユーザ・インタフェースに赤血球を表示するシステムであって、
赤血球のサンプルを描画するよう構成された描画装置（３１２）と、
表示装置（３１０）と、
請求項１３に記載のグラフィカル・ユーザ・インタフェースを生成する装置（３００）であって、当該装置（３００）は、前記描画装置（３１２）と前記表示装置（３１０）とに接続され、前記描画装置（３１２）から赤血球（１０８）のサンプルが描かれた画像（１０６）を受け取り、前記表示装置（３１０）上の前記グラフィカル・ユーザ・インタフェースに表示するよう構成された装置（３００）と、を備えたシステム。